(57)【要約】【課題】スピーカ装置の接続端子やケーブルに起因した美観の低下を抑制する。【解決手段】スピーカ装置１００Aは、スピーカユニット１０とスピーカユニット１０を収容する収容体２０とを具備する。収容体２０は、スピーカユニット１０の背面側に位置する背面部２４と、スピーカユニット１０と背面部２４との間の空間を包囲する側面部２６とを含む。背面部２４のうちスピーカユニット１０とは反対側の表面には溝部４４が形成される。溝部４４の内側には、スピーカ装置１００Aに電気的に接続されたケーブル５６が配置される。収容体２０は、溝部４４が延在する方向からみて当該溝部４４の内側の領域と重なる部分を含む。すなわち、溝部４４は、収容体２０の表面までは到達しない。【選択図】図２
2009111670.tif 000002
【特許請求の範囲】
【請求項１】
スピーカユニットと前記スピーカユニットを収容する収容体とを具備するスピーカ装置であって、
前記収容体は、
前記スピーカユニットの背面側に位置する背面部と、
前記スピーカユニットと前記背面部との間の空間を包囲する側面部とを含み、
前記背面部のうち前記スピーカユニットとは反対側の表面には、当該スピーカ装置に電気的に接続されたケーブルが内部に配置される溝部が形成され、
前記収容体は、前記溝部が延在する方向からみて当該溝部の内側の領域と重なる部分を含む
スピーカ装置。
【請求項２】
前記収容体における前記背面部の周縁には、前記側面部の表面に対して窪んだ凹部が形成され、
前記溝部は、前記凹部の内側に連通し、
前記凹部の表面は、前記溝部内のケーブルが連結される接続端子が配置された端子配置面を含む
請求項１のスピーカ装置。
【請求項３】
前記収容体は、前記背面部のうち前記凹部が形成された周縁の延在する方向からみて当該凹部の内側の領域と重なる部分を含む
請求項２のスピーカ装置。
【請求項４】
前記端子配置面は、前記各接続端子の中心軸が背面側の表面に対して傾斜するように当該各接続端子が設置された傾斜面である
請求項２または請求項３のスピーカ装置。
【請求項５】
前記側面部が包囲する空間を前後に仕切る仕切板と、
前記仕切板に固定されるとともに前記ケーブルに電気的に接続された電気回路とを具備し、
前記背面部は、前記電気回路を挟んで前記仕切板に対向する金属板である
請求項１から請求項４の何れかのスピーカ装置。
【請求項６】
前記溝部は、第１方向に延在する第１部分と、前記第１方向とは相違する第２方向に延在する第２部分とを含む
請求項１から請求項５の何れかのスピーカ装置。
【発明の詳細な説明】
【技術分野】
【０００１】
本発明は、スピーカ装置に関する。
【背景技術】
【０００２】
複数のスピーカユニットを収容するエンクロージャの側面に複数の接続端子を設置したスピーカ装置が特許文献１に開示されている。各接続端子に連結されたケーブルを介してスピーカ装置は外部の機器に電気的に接続される。
【特許文献１】特開２００７−３６８２１号公報
【発明の開示】
【発明が解決しようとする課題】
【０００３】
しかし、特許文献１のスピーカ装置においては、接続端子やケーブルがエンクロージャの側面に露出するから、スピーカ装置の美観が損なわれるという問題がある。以上の事情を背景として、本発明は、接続端子やケーブルに起因した美観の低下を抑制することを目的とする。
【課題を解決するための手段】
【０００４】
以上の課題を解決するために、本発明に係るスピーカ装置は、スピーカユニットとスピーカユニットを収容する収容体とを具備し、収容体は、スピーカユニットの背面側に位置する背面部と、スピーカユニットと背面部との間の空間を包囲する側面部とを含み、背面部のうちスピーカユニットとは反対側の表面には、当該スピーカ装置に電気的に接続されたケーブルが内部に配置される溝部が形成される。以上の構成によれば、ケーブルが溝部に収容されるから、例えば背面部の表面がスピーカ装置の設置面に密着するようにスピーカ装置を固定することで、ケーブルに起因した美観の低下が抑制される。
【０００５】
本発明の第１の態様において、収容体は、溝部が延在する方向からみて当該溝部の内側の領域と重なる部分を含む。以上の態様によれば、設置面に密着するようにスピーカ装置を設置すると、溝部が延在する方向から溝部は視認されない。したがって、溝部が収容体の表面まで到達する構成と比較して溝部に起因した美観の低下が抑制される。
【０００６】
本発明の第２の態様において、収容体における背面部の周縁には、側面部の表面に対して窪んだ凹部が形成され、溝部は、凹部の内側に連通し、凹部の表面は、溝部内のケーブルが連結される接続端子が配置された端子配置面を含む。以上の態様においては、側面部の表面に対して窪んだ形状に凹部が形成されるから、例えば設置面に密着するようにスピーカ装置を設置した状態においても、接続端子やケーブルに外部から接触することが可能である。したがって、接続端子やケーブルの保守および点検が容易化されるという利点がある。
【０００７】
第２の態様に係るスピーカ装置の具体例において、収容体は、背面部のうち凹部が形成された周縁の延在する方向からみて当該凹部の内側の領域と重なる部分を含む。以上の態様によれば、設置面に密着するようにスピーカ装置を設置すると、背面部の周縁の延在する方向から凹部は視認されない。したがって、凹部が収容体の表面まで到達する構成と比較して凹部に起因した美観の低下が抑制される。
【０００８】
さらに好適な態様において、端子配置面は、各接続端子の中心軸が背面側の表面に対して傾斜するように当該各接続端子が設置された傾斜面である。以上の態様によれば、接続端子にケーブルを連結させる作業が容易化されるとともにケーブルの屈曲の角度が低減されるという利点がある。もっとも、端子配置面の方向は任意である。例えば、端子配置面を背面部に平行な表面とすれば、ケーブルを屈曲させる角度が低減されるという利点があり、端子配置面を背面部に垂直な表面とすれば、外部からケーブルを接続端子に挿入する作業が容易化されるという利点がある。
【０００９】
本発明の具体的な態様に係るスピーカ装置は、側面部が包囲する空間を前後に仕切る仕切板と、仕切板に固定されるとともにケーブルに電気的に接続された電気回路とを具備し、背面部は、電気回路を挟んで仕切板に対向する金属板である。以上の構成においては、仕切板との間隙に電気回路を収容する背面部が金属板で構成されるから、電気回路に対する電磁波の影響を低減することが可能である。
【００１０】
なお、溝部の形状は本発明において任意である。例えば、溝部がひとつの方向のみに延在する構成が採用される。また、第１方向に延在する第１部分と第２方向に延在する第２部分とを含む形状に溝部を形成すれば（例えば図１３）、第１方向および第２方向の双方におけるスピーカ装置の位置を容易に調整できるという利点がある。
【発明を実施するための最良の形態】
【００１１】
＜Ａ：第１実施形態＞
図１は、本発明の第１実施形態に係るスピーカ装置１００Aを正面側からみた斜視図であり、図２は、スピーカ装置１００Aを背面側からみた斜視図である。図１および図２に示すように、スピーカ装置１００Aは、スピーカユニット群１０と収容体（エンクロージャ）２０とを具備するアクティブ型の放音装置である。スピーカユニット群１０は、Ｘ方向（水平方向）およびＹ方向（鉛直方向）に沿って行列状に配列する複数のスピーカユニット１０Aと、複数のスピーカユニット１０Aを包囲するように配列する複数のスピーカユニット１０Bとを含む。なお、各スピーカユニット１０（１０A，１０B）の中心軸の方向（すなわちスピーカ装置１００Aの前後の方向）を以下ではＺ方向と表記する。
【００１２】
収容体２０は、スピーカユニット群１０および電気回路１５（図２）を収容する筐体である。電気回路１５は、楽音信号を増幅して各スピーカユニット１０に供給する増幅器を含む。本形態の電気回路１５は、スピーカユニット群１０の各スピーカユニット１０に供給される楽音信号のゲインや遅延量を個別に調整することで、スピーカユニット群１０から放射される音波の指向性を可変に制御する。
【００１３】
図１および図２に示すように、収容体２０は、前面部２２と背面部２４と側面部２６とで構成される。前面部（バッフル板）２２は、Ｘ-Ｙ平面に平行に配置されてスピーカユニット群１０の各スピーカユニット１０を支持する板状の部分である。背面部２４は、前面部２２と間隔をあけてスピーカユニット群１０の背面側に位置する板状の部分である。側面部２６は、前面部２２と背面部２４とで挟まれた空間（以下「内部空間」という）を包囲する矩形枠状の部分である。さらに詳述すると、側面部２６は、収容体２０の上面を構成する第１板部３１と、収容体２０の下面を構成する第２板部３２と、収容体２０の側面を構成する第３板部３３および第４板部３４とを連結した構造である。なお、前面部２２と背面部２４と側面部２６との一部または全部は一体に形成される。例えば、背面部２４と側面部２６とが一体に成形された箱状の部材に別体の前面部２２を固定することで収容体２０が作成される。
【００１４】
収容体２０のうち背面部２４と側面部２６の第１板部３１とが連接する部位（背面部２４の上方の周縁）には凹部４２が形成される。凹部４２は、第１板部３１の外側の表面（内部空間とは反対側の表面）および背面部２４の外側の表面（内部空間とは反対側の表面）に対して窪んだ部分である。凹部４２のうち背面部２４と平行な領域（以下「端子配置面」という）５２には、中心軸をＺ方向（背面側）に向けた姿勢で複数の接続端子（コネクタ）５４が配置される。
【００１５】
図３は、Ｘ方向（すなわち背面部２４のうち凹部４２が形成された周縁の延在する方向）に沿って第４板部３４側からスピーカ装置１００Aをみたときの側面図である。図３に示すように、収容体２０（第４板部３４）は、Ｘ方向からみて凹部４２の内側の領域と重なり合う部分３４Aを含む。すなわち、凹部４２は、第４板部３４の表面までは連通しない。同様に、第３板部３３は、図１に示すように、Ｘ方向からみて凹部４２の内側の領域と重なり合う部分３３Aを含む。したがって、第３板部３３および第４板部３４の各々における外側の表面は、切欠のない単純な長方形である。
【００１６】
図２に示すように、背面部２４の外側の表面（内部空間とは反対側の表面）には、背面部２４のＸ方向における中央部にてＹ方向に直線状に延在する溝部４４が形成される。溝部４４は、背面部２４の他の部分と比較して窪んだ部分である。溝部４４のうち第１板部３１側に位置する端部は凹部４２の内側の空間に連通する。
【００１７】
図４は、Ｙ方向に沿って第２板部３２側（底面側）からスピーカ装置１００Aをみたときの底面図である。図４に示すように、収容体２０（第２板部３２）は、Ｙ方向からみて溝部４４の内側の領域と重なり合う部分３２Aを含む。すなわち、図２および図４に示すように、溝部４４における第２板部３２側の端部は背面部２４の周縁（第２板部３２の表面）までは到達しない。したがって、第２板部３２の外側の表面は、切欠のない単純な長方形である。
【００１８】
図５は、溝部４４および凹部４２の近傍を拡大した断面図である。図５に示すように、溝部４４には複数のケーブル５６が収容される。ただし、図５においては１本のケーブル５６のみが便宜的に図示されている。また、図１から図４においては便宜的にケーブル５６の図示が省略されている。複数のケーブル５６は、楽音信号などの各種の制御信号（例えば音波の指向の方向を制御する信号）を伝送する信号線や電気回路１５に電力を供給する電源線といった複数の配線を含む。図５に示すように、各ケーブル５６は、溝部４４の内側の空間をＹ方向に沿って第１板部３１側に延在するとともに凹部４２の内側にてＺ方向に屈曲し、端部が接続端子５４に連結される。
【００１９】
図６の部分(A)および部分(B)は、スピーカ装置１００Aが設置された様子を示す側面図である。図６に示すように、スピーカ装置１００Aは建築物の壁面８０上に設置される。各ケーブル５６は、凹部４２から溝部４４に進入してＹ方向に延在するとともに途中でＺ方向に屈曲して壁面８０の挿入孔８２に挿入される。溝部４４はＹ方向に延在するから、壁面８０に対するスピーカ装置１００AのＹ方向の位置を適宜に変更できる。例えば、図６の部分(A)のように溝部４４の上方にてケーブル５６を挿入孔８２に挿入すればスピーカ装置１００Aは壁面８０の低い位置に設置され、図６の部分(B)のように溝部４４の下方にてケーブル５６を挿入孔８２に挿入すればスピーカ装置１００Aは壁面８０の高い位置に設置される。
【００２０】
背面部２４に溝部４４が形成されない構成のスピーカ装置１００aにおいては、図７に示すように、複数のケーブル５６を引廻すための間隔Ｄを背面部２４と壁面８０との間に確保する必要がある。したがって、間隔Ｄや接続端子５４やケーブル５６がスピーカ装置１００aの側方や上方から視認される。これに対して本形態においては、各接続端子５４が凹部４２内に配置されるとともに複数のケーブル５６が凹部４２および溝部４４に収容されるから、背面部２４を壁面８０に密着させた状態でスピーカ装置１００Aを固定することが可能である。すなわち、恰も壁面８０と一体をなすかのようにスピーカ装置１００Aが設置される。したがって、接続端子５４やケーブル５６に起因した美観の低下を解消することが可能である。
【００２１】
また、凹部４２が第３板部３３や第４板部３４の表面まで連通する構成や溝部４４が第２板部３２の表面まで連通する構成においては、壁面８０にスピーカ装置１００Aを設置した状態で凹部４２や溝部４４が外部から視認される。これに対して本形態においては、凹部４２は第３板部３３や第４板部３４の表面まで到達せず、溝部４４は第２板部３２の表面まで到達しないから、凹部４２や溝部４４は側方および下方から視認されない。したがって、接続端子５４やケーブル５６を収容する凹部４２や溝部４４を背面部２４に形成した構成にも拘わらず、凹部４２や溝部４４に起因した美観の低下が抑制されるという利点がある。
【００２２】
なお、スピーカ装置１００Aを上方からみたときの美観が要求される場合には、図８に示すように、凹部４２が第１板部３１の表面に連通しない構成（すなわち凹部４２および溝部４４が背面部２４と壁面８０とで完全に密閉される構成）も採用される。ただし、図８の構成においては、壁面８０にスピーカ装置１００Aを設置した状態では外部から接続端子５４やケーブル５６に接触することができない。第１実施形態のように凹部４２が外部に連通する構成によれば、第１板部３１の切欠と壁面８０との隙間を介して外部から凹部４２内の接続端子５４やケーブル５６に接触することが可能である。したがって、スピーカ装置１００Aを壁面８０に固定した状態でも接続端子５４やケーブル５６の保守や点検を容易に実施できるという利点がある。また、スピーカ装置１００Aを設置する段階においても、スピーカ装置１００Aを壁面８０に固定した状態でケーブル５６を把持して接続端子５４に連結することが可能である。したがって、スピーカ装置１００Aの設置の作業が容易化されるという利点がある。
【００２３】
以上においては接続端子５４の中心軸がＺ方向を向く構成を例示したが、接続端子５４の中心軸がＹ方向を向く構成も採用される。例えば、図９に示すように、凹部４２のうち第１板部３１と平行な表面（上方を向く表面）を端子配置面５２とした構成も好適である。各接続端子５４は、中心軸をＹ方向（上方）に向けた姿勢で端子配置面５２に配置される。図９の構成によれば、ケーブル５６の端部をスピーカ装置１００Aの上方から接続端子５４に着脱できるから、壁面８０にスピーカ装置１００Aが設置された状態における接続端子５４やケーブル５６の保守および点検が図５の構成と比較して容易化されるという利点がある。一方、図５の構成によれば、凹部４２の内側におけるケーブル５６の屈曲の角度が図９の構成と比較して低減されるという利点がある。
【００２４】
＜Ｂ：第２実施形態＞
次に、本発明の第２実施形態について説明する。なお、本形態において作用や機能が第１実施形態と同様である要素については、以上と同じ符号を付して各々の詳細な説明を適宜に省略する。
【００２５】
図１０は、スピーカ装置１００Bの背面図であり、図１１は、スピーカ装置１００Bの上面図である。また、図１２は、図１０におけるXII−XII線の断面図である。なお、図１０および図１１においてはケーブル５６の図示が便宜的に省略されている。図１０および図１２に示すように、収容体２０は、前面部２２と背面部２４と側面部２６とが別体に形成された箱状の部分である。前面部２２は、スピーカユニット群１０の各スピーカユニット１０（１０A，１０B）を第１実施形態と同様の配列（図１）で支持する板材である。
【００２６】
側面部２６は、前面部２２（スピーカユニット群１０）の背面側の内部空間を包囲する矩形枠状の部材であり、スピーカ装置１００Bの上面を構成する第１板部３１と、底面を構成する第２板部３２と、側面を構成する第３板部３３および第４板部３４とを連結した構造である。第１板部３１のうち背面側の周縁には、Ｘ方向に沿って長尺な切欠３１１が形成される。なお、図１１においては第１板部３１が部分的に破断されている。図１１および図１２に示すように、側面部２６の内側には仕切板６０が固定される。仕切板６０は、側面部２６が包囲する内部空間を前面側の空間Ｒ1と背面側の空間Ｒ2とに仕切る板材である。
【００２７】
背面部２４は、仕切板６０の背面側に設置されて仕切板６０との間隙に空間Ｒ2を画成する金属性の板材である。図１０から図１２に示すように、背面部２４は、間隔（空間Ｒ2）をあけて仕切板６０の背面に対向する略矩形状の主板部２４１と、主板部２４１の３辺から仕切板６０側に垂直に突出する側板部２４２とで構成される。背面部２４は、側板部２４２の開口２４５（側板部２４２がない部分）を上方に向けた姿勢で仕切板６０にネジ６２で固定される。背面部２４の側板部２４２は側面部２６の内面に対向する。
【００２８】
背面部２４の主板部２４１には、複数のケーブル５６を収容するための溝部４４が形成される。溝部４４は、主板部２４１のうち側板部２４２が連接しない周縁（開口２４５に対応した周縁）の中央部からＹ方向に直線状に延在する。側面部２６の第２板部３２が、Ｙ方向からみて溝部４４の内側の領域と重なり合う部分（図４の部分３２A）を含む長方形である構成は第１実施形態と同様である。図１１および図１２に示すように、主板部２４１のうち溝部４４以外の表面と側面部２６の背面側の端面とは略同一の平面内に位置する。以上の形状の背面部２４は、例えば金属板をプレス加工することで廉価かつ簡便に作成される。
【００２９】
図１０に示すように、仕切板６０と背面部２４とで挟まれた空間Ｒ2には電気回路１５（１５１，１５２）が収容される。電気回路１５は、第１実施形態と同様に、スピーカユニット群１０から放射される音波の指向性を可変に制御しながら各スピーカユニット１０を駆動する回路である。本形態の電気回路１５は、仕切板６０に固定された第１回路１５１と第２回路１５２とで構成される。第１回路１５１と第２回路１５２とは、背面側からみて溝部４４を挟む各位置に配置される。
【００３０】
背面部２４の上方には背面部２４の開口２４５を閉塞するように端子板７０が配置される。図１０および図１１に示すように、端子板７０は、複数の接続端子５４が配置された長尺状の端子配置部７２の両側に取付部７４と周縁部７６とが連設された金属製の板材である。図１１に示すように周縁部７６には溝部４４に対応した切欠７６１が形成される。
【００３１】
取付部７４はネジ６４で仕切板６０に固定される。端子配置部７２は取付部７４に対して傾斜する。したがって、取付部７４が仕切板６０に固定されると、端子配置部７２の表面（端子配置面５２）は、図１２に示すように、第１板部３１の表面と背面部２４の主板部２４１の表面との交線Ｌに対向するように傾斜する。すなわち、各接続端子５４は、中心軸（挿入方向）を斜め上方に向けた姿勢に固定される。なお、接続端子５４と電気回路１５（１５１，１５２）とを連結する配線の図示は便宜的に省略されている。
【００３２】
第１板部３１における切欠３１１の内周面と端子板７０の表面（端子配置面５２）とで凹部４２が形成される。側面部２６の第３板部３３および第４板部３４が、Ｘ方向からみて凹部４２の内側の領域と重なり合う部分（図１の部分３３Aや図２の部分３４A）を含む長方形状である構成は第１実施形態と同様である。図１１に示すように、溝部４４の内側と凹部４２の内側とは周縁部７６の切欠７６１を介して相互に連通する。
【００３３】
スピーカ装置１００Bは、側面部２６の背面側の端面（さらには背面部２４の表面）が壁面８０に密着するように設置される。端部が接続端子５４に連結されたケーブル５６は、図１２に示すように、凹部４２の内側から周縁部７６の切欠７６１を経由して溝部４４の内側をＹ方向に延在し、溝部４４の中途の部分にてＺ方向に屈曲して壁面８０の挿入孔８２に挿入される。
【００３４】
本形態においても第１実施形態と同様の作用および効果が奏される。また、本形態においては、端子板７０の端子配置面５２が第１板部３１の表面や背面部２４の表面に対して傾斜するから、各接続端子５４の中心軸は斜め上方を向く。したがって、接続端子５４の中心軸がＺ方向を向く図５の構成と比較して、スピーカ装置１００Bを壁面８０に設置した状態であってもケーブル５６の端部を接続端子５４に対して着脱し易いという利点がある。また、接続端子５４の中心軸がＹ方向を向く図９の構成と比較して、凹部４２の内側におけるケーブル５６の屈曲の角度が低減されるという利点がある。さらに、図５や図９の構成と比較して、端子配置部７２の背後の空間（Ｒ2）を電気回路１５の設置のために確保できるという利点もある。
【００３５】
また、金属板の屈曲（プレス加工）で溝部４４が成形されるから、背面部２４のうち溝部４４以外の領域の背後を電気回路１５の設置のための空間（Ｒ2）として確保することができる。さらに、背面部２４および端子板７０は金属板で形成されるから、電気回路１５に対する電磁波の影響が背面部２４および端子板７０で遮断されるという利点もある。
【００３６】
＜Ｃ：変形例＞
以上の各形態には以下に例示するような様々な変形を加えることができる。なお、以下の例示から２以上の態様を任意に選択して組合わせてもよい。
【００３７】
（１）変形例１  
第１実施形態と第２実施形態とを適宜に組合せた構成も採用される。例えば、接続端子５４の中心軸がＺ方向を向く構成（図５）や接続端子５４の中心軸がＹ方向を向く構成（図９）を第２実施形態に採用してもよい。
【００３８】
（２）変形例２  
以上の各形態においては溝部４４がＹ方向のみに延在する構成を例示したが、溝部４４がＸ方向に延在する構成によれば、壁面８０にスピーカ装置１００（１００A，１００B）を設置するときにスピーカ装置１００のＸ方向の位置を調整することが可能である。また、別個の方向に延在する複数の部分からなる溝部４４も採用される。例えば、図１３に示すように、Ｙ方向に延在する部分４４１とＸ方向に延在する部分４４２とを連通させた溝部４４を背面部２４に形成すれば、壁面８０上におけるスピーカ装置１００の位置をＸ方向およびＹ方向の双方に沿って調整することが可能となる。
【００３９】
（３）変形例３  
増幅器を搭載しないパッシブ型のスピーカ装置にも以上の各形態は同様に適用される。また、放音の指向性を制御する機能は本発明にとって必須の要件ではない。したがって、１個のスピーカユニットのみを搭載したスピーカ装置に対しても以上の各形態と同様に本発明が適用される。
【００４０】
なお、複数のスピーカユニットを駆動することで放音の指向性を可変に制御するスピーカ装置（以下「指向性制御型のスピーカ装置」という）においては、指向の方向が固定されたスピーカ装置と比較すると、受聴の位置に対するスピーカ装置の設置の位置や方向について制約が少ない。したがって、壁面８０に密着して配置し易い以上の各形態は、指向性制御型のスピーカ装置に特に好適に適用される。また、指向性制御型のスピーカ装置は、パッシブ型のスピーカ装置と比較してケーブル５６の本数が多いから、接続端子５４やケーブル５６に起因した美観の低下が特に問題となり易い。したがって、スピーカ装置の美観の向上という観点からしても、凹部４２や溝部４４に接続端子５４やケーブル５６が収容される以上の各形態は、指向性制御型のスピーカ装置に特に好適である。
【００４１】
（４）変形例４  
以上の形態においては有底の溝部４４を例示したが、背面部２４に画定された直線状の領域を厚さ方向に貫通することで溝部を形成してもよい。ただし、溝部４４が有底である構成においては、スピーカ装置１００の運搬時や設置時に電気回路１５（１５１，１５２）が外部からの接触から確実に保護されるとともに、電気回路１５に対する電磁波の影響が有効に遮蔽されるという利点がある。
【００４２】
（５）変形例５  
凹部４２が形成される位置は任意である。例えば、収容体２０のうち背面部２４の下方（例えば背面部２４と側面部２６の第２板部３２とが連接する部位）に凹部４２を形成した構成も採用される。凹部４２が背面部２４の下方に位置する構成においては、凹部４２に対応した切欠を第１板部３１に形成する必要がない（したがって、第１板部３１の表面は単純な長方形とされる）から、スピーカ装置１００を上方からみたときの美観が向上する。したがって、平均的な視線高よりも下方にスピーカ装置１００を設置する場合に特に好適である。以上に説明したように、凹部４２の位置は、スピーカ装置１００が設置される位置（高度）に応じて適切に選定される。もっとも、図８に示したように凹部４２がスピーカ装置１００の上下や左右の空間に連通しない構成も好適である。
【図面の簡単な説明】
【００４３】
【図１】本発明の第１実施形態に係るスピーカ装置を前面側からみたの斜視図である。
【図２】スピーカ装置を背面側からみた斜視図である。
【図３】スピーカ装置の部分的な側面図である。
【図４】スピーカ装置の部分的な底面図である。
【図５】接続端子とケーブルとの接続を説明するための断面図である。
【図６】スピーカ装置が設置された様子を示す側面図である。
【図７】背面部に溝部が形成されない従来の構成の問題点を説明するための側面図である。
【図８】他の態様に係るスピーカ装置の背面図である。
【図９】他の態様に係る接続端子とケーブルとの接続を説明するための断面図である。
【図１０】本発明の第２実施形態に係るスピーカ装置の背面図である。
【図１１】スピーカ装置の上面図である。
【図１２】図１０におけるXII−XII線の断面図である。
【図１３】変形例に係るスピーカ装置の背面図である。
【符号の説明】
【００４４】
１００A，１００B……スピーカ装置、１０A……スピーカユニット、１０B……スピーカユニット、２０……収容体、１５……電気回路、２２……前面部、２４……背面部、２６……側面部、３１……第１板部、３２……第２板部、３３……第３板部、３４……第４板部、４２……凹部、４４……溝部、５２……端子配置面、５４……接続端子、５６……ケーブル、６０……仕切板、７０……端子板、８０……壁面、８２……挿入孔。
【図１】
2009111670.tif 000003
【図２】
2009111670.tif 000004
【図３】
2009111670.tif 000005
【図４】
2009111670.tif 000006
【図５】
2009111670.tif 000007
【図６】
2009111670.tif 000008
【図７】
2009111670.tif 000009
【図８】
2009111670.tif 000010
【図９】
2009111670.tif 000011
【図１０】
2009111670.tif 000012
【図１１】
2009111670.tif 000013
【図１２】
2009111670.tif 000014
【図１３】
2009111670.tif 000015